(57)【要約】【課題】取扱性や仮組立の操作性に優れた構造にすること、クリップによる固定力や締結力を維持してパネル下面側への突出量を抑え易くする。【解決手段】雌部材１と該雌部材の開口部１１に挿入される雄部材２とからなり、雌部材１は鍔部１０及び該鍔部下面より突出している脚部１５並びに該脚部の内面に設けられて雄部材２と当接する拡径用突起１７を有したクリップであって、雄部材２は、鍔部１０にヒンジ部３を介して連設されており、雌部材の開口部１１に挿入されて、突起７に対応部を圧接することで脚部１５を拡径することを特徴としている。【選択図】図７
2009264487.tif 000002
【特許請求の範囲】
【請求項１】
雌部材と該雌部材の開口部に挿入される雄部材とからなり、前記雌部材は鍔部及び該鍔部下面より突出している脚部並びに該脚部の内面に設けられて前記雄部材と当接する拡径用突起を有したクリップであって、
前記雄部材は、前記鍔部にヒンジ部を介して連設されており、前記雌部材の開口部に挿入されて、前記突起に対応部を圧接することで前記脚部を拡径することを特徴とするクリップ。
【請求項２】
前記雄部材は、前記雌部材の開口部に挿入されて前記脚部を拡径した状態から更に押し込まれることで、前記凸部が入り込んで前記脚部を拡径状態から元の非拡径状態に切換可能にする窪み部を有していることを特徴とする請求項１に記載のクリップ。
【請求項３】
前記雄部材は、前記ヒンジ部を支点として回転操作されることにより前記雌部材の開口部に挿入されることを特徴とする請求項１又は２に記載のクリップ。
【請求項４】
前記雄部材及び前記雌部材は、前記雄部材の先端部分が前記雌部材の開口部に挿入された状態で互いに解除可能に係合する仮組立状態保持用の凹部及び凸部の一方をそれぞれ有していることを特徴とする請求項１から３の何れかに記載のクリップ。
【請求項５】
前記雄部材及び前記雌部材は、前記脚部の拡径状態で互いに解除可能に係合する拡径状態保持用の凹部及び凸部の一方をそれぞれ有していることを特徴とする請求項１から４の何れかに記載のクリップ。
【発明の詳細な説明】
【技術分野】
【０００１】
本発明は、雄・雌部材からなるクリップで、板部材同士を締結したり物品側の板部材をパネル等の板部材に取り付けるときに好適なクリップに関する。
【背景技術】
【０００２】
対象のクリップは、図８（ａ），（ｂ）に例示されるごとく（特許文献１に開示のもの）、雌部材と該雌部材の開口部２に挿入される雄部材とからなる。雌部材は、鍔部１及び該鍔部下面より突出している弾性脚部３並びに該各脚部の先端に設けられて雄部材と当接する突起４を有している。符号５は脚部同士の間に設けられている縦溝状の切割部５である。これに対し、雄部材は、軸部が頭部６を有し雌部材側開口部２に挿入される。この軸部は、軸心部から等間隔放射状に突出されて、雌部材側開口部２に挿入された状態で雄部材側切割部５に嵌合する片部８と、軸心部及び片部同士の間に設けられている上下略中間の拡張部９と、同じく拡張部９の上側及び下側に設けられている凹部１０及び凹部１１と、軸部先端に設けられた錐形部１２とを有している。符号９’は溝部であり、符号１０’と１１’はカム斜面である。
【０００３】
図８（ａ）は雄部材が雌部材に仮組み付けされた仮組立状態である。この状態では、凹部１１が突起４に係合されることで雌部材に対して雄部材をこの挿入位置で保持している。同（ｂ）左図は雄部材が更に押し込め操作されてパネルＡ，Ｂ同士を重合した脚部拡径状態である。この状態では、拡張部９（の溝部９’）が突起４に係合されることで各脚部の拡径状態を保持している。同（ｂ）右図は雄部材が更に押し込め操作されて脚部を元の非拡径にした非拡径状態である。この状態では、凹部１０が突起４に係合されることで脚部拡径用の負荷を開放しパネルＡ，Ｂ同士の重合が解かれる。
【特許文献１】実公平４−４２５６８号公報
【発明の開示】
【発明が解決しようとする課題】
【０００４】
上記したクリップは、雌部材に対する雄部材の挿入量により仮組立状態にしたり、脚部拡径状態から非拡径状態に切換可能となるが、次のような点から使い勝手や用途的な制約を受け易かった。すなわち、構造特徴としては、雄部材及び雌部材が別体であるため紛失し易く取扱性や仮組立操作が煩雑となる。また、雄部材を雌部材の開口部に垂直方向へ挿入されるためパネル下面側への突出量が大きくなって、パネル下面側のスペースとの関係から適用不能となることも生じる。
【０００５】
本発明の目的は、以上のような課題を解消して取扱性や仮組立の操作性に優れた構造にすることにある。他の目的は、クリップによる固定力や締結力を維持してパネル（板や物品のフランジ部等を含む、以下同じ）下面側への突出量を抑え易くすることにある。
【課題を解決するための手段】
【０００６】
上記目的を達成するため本発明は、雌部材と該雌部材の開口部に挿入される雄部材とからなり、前記雌部材は鍔部及び該鍔部下面より突出している脚部並びに該脚部の内面に設けられて前記雄部材と当接する拡径用突起を有したクリップであって、前記雄部材は、前記鍔部にヒンジ部を介して連設されており、前記雌部材の開口部に挿入されて、前記突起に対応部を圧接することで前記脚部を拡径することを特徴としている。
【０００７】
以上の本発明は請求項２〜５のように具体化されることがより好ましい。すなわち、
（ア）前記雄部材は、前記雌部材の開口部に挿入されて前記脚部を拡径した状態から更に押し込まれることで、前記凸部が入り込んで前記脚部を拡径状態から元の非拡径状態に切換可能にする窪み部を有している構成である（請求項２）。
（イ）前記雄部材は、前記ヒンジ部を支点として回転操作されることにより前記雌部材の開口部に挿入される構成である（請求項３）。
（ウ）前記雄部材及び前記雌部材は、前記雄部材の先端部分が前記雌部材の開口部に挿入された状態で互いに解除可能に係合する仮組立状態保持用の凹部及び凸部の一方をそれぞれ有している構成である（請求項４）。なお、この構成には、仮組立状態保持用の凹部及び凸部として、雄部材側凹部及び雌部材側凸部の態様、雄部材側凸部及び雌部材側凹部の態様を含む。
（エ）前記雄部材及び前記雌部材は、前記脚部の拡径状態で互いに解除可能に係合する拡径状態保持用の凹部及び凸部の一方をそれぞれ有しているこ構成である（請求項５）。なお、この構成には、拡径状態保持用の凹部及び凸部として、雄部材側凹部及び雌部材側凸部の態様、雄部材側凸部及び雌部材側凹部の態様を含む。
【発明の効果】
【０００８】
請求項１の発明では、雄部材が雌部材の鍔部にヒンジ部を介して連設されているため雄部材及び雌部材を一体品として搬送したり収納可能となり使い勝ってを改善できる。また、雄部材がヒンジ部を介して動かされて雌部材の開口部に挿入されるため挿入操作性、つまり仮組立性や脚部拡径状態への切換操作性を良好に行える。
【０００９】
請求項２の発明では、雄部材が雌部材に対し脚部拡径状態から更に押し込まれることで、窪み部に拡径用凸部を逃がして脚部を元の非拡径状態に切り換えるため、パネル同士の重合や締結状態を簡単な操作により解くことができる。また、請求項３の発明では、雄部材がヒンジ部を支点として回転操作されて雌部材の開口部に挿入され、例えば脚部拡径状態から非拡径状態に切り換えられるため図８のごとく雄部材を垂直方向に押し込める従来構造に比べパネル下面側への突出量を抑えて用途的な制約を解消できる。
【００１０】
請求項４の発明では、雄部材及び雌部材が仮組立保持用凹部及び凸部の係合により仮組立状態に保持されるため取扱性と共に仮組立状態から脚部拡径状態への切換操作性をより良好に行える。また、請求項５の発明では、雄部材及び雌部材が拡径状態保持用凹部及び凸部の係合によりパネル同士を固定したり締結する使用状態を安定保持できる。
【発明を実施するための最良の形態】
【００１１】
以下、本発明の最適な形態について図面を参照しながら説明する。図１〜図４はクリップを成形した直前の態様で示し、図５は前記クリップにおいて雄部材を雌部材に仮組み付けするときの仮組立操作を示し、図６は脚部拡径保持状態を示し、図７は非拡径状態を示している。
【００１２】
（構造）形態のクリップ４は、図１及び図６に示されるごとく複数枚のパネル５，６を締結したり、上側のパネル６を下側のパネル５に取り付けときに使用されるもので、雌部材１と該雌部材の開口部１１に挿入される雄部材２とを有していると共に、雌部材１及び雄部材２がヒンジ部３を介して一体に形成した樹脂成形体からなる。
【００１３】
雌部材１は、概略筒形であり、鍔部１０及び該鍔部下面より突出している複数の脚部１５並びに該各脚部の内面に設けられて雄部材２と当接する拡径用突起１７を有している。鍔部１０は、最大の外径部であり、開口部１１の上内縁部を下に行くほど径小となるテーパー１２に形成している。また、開口部１１には、凹所１３ａ及び切欠部１３ｂが対向した箇所に設けられている。凹所１３ａは、図５（ａ）のごとく凹所背面から開口部１１内に向けて凸部１４を突出している。この凸部１４は、仮組立状態保持用と拡径状態保持用とを兼ねる係合部である。切欠部１３ｂは、鍔部１０の一部を所定深さ欠如したもので、ここからヒンジ部３が外へ突出形成されている。なお、符号１０ａは、鍔部１０の下面から上側に切り欠された空洞部１０ａである。
【００１４】
脚部１５は、２個構成であり、鍔部下面から突出されかつ互いに対向している。脚部同士は、凹所１３ａないしは切欠部１３ｂに相当する間隔を持って設けられている。各脚部１５は、外面先端部を下に行くほど径小となるテーパー１６に形成していると共に、内側に設けられた拡径用突起１７を有している。各突起１７は、脚部内面１８にあって脚部先端から上向きに延びた縦リブ形状となっている。
【００１５】
これに対し、雄部材２は、鍔部側切欠部１３ｂから突出されたヒンジ部３の先端に基部を連結した状態に設けられており、ヒンジ部３を支点として回転操作されることにより雌部材１の開口部１１に挿入される。詳述すると、雄部材２は、凹所１３ａないしは切欠部１３ｂの幅より若干小さい板厚で、両側面２０、内側端面２２、外側端面２３、下端面２４、上端面２５で区画された概略駒状をなし、成形された直前の態様において内側端面２２の下側がヒンジ部３と一体化されている。
【００１６】
両側面２０には、上側にあって外側端面２３から内側端面２２に向けて欠肉した逃げ部２１が設けられている。外側端面２３は円弧面である。外側端面２３には、両側の逃げ部２１に通じている仮組立状態保持用凹部２６と、凹部２６より下側に位置している拡径状態保持用凹部２７とが設けられている。下端面２４は、凹所１３ａ、開口部１１、切欠部１３ｂに嵌合される大きさである。上端面２５は、外側端面２３が内側端面２２に接近しているため小さな面となっている。
【００１７】
（作動）次に、以上のクリップ４の作動的な特徴について詳述する。
（ア）まず、以上のクリップ４は、成形時の態様で搬送しても、雌部材１と雄部材２がヒンジ部３を介して一体化されているため従来クリップに比べて取り扱い易く、例えば、一方を紛失するというような不具合がなくなるなど取扱性に優れている。また、雌・雄部材１，２は、雄部材２がヒンジ部３を支点として回転操作されることで雌部材１の開口部１１へ挿入される関係であるため次に述べる仮組立状態にし易く、仮組立状態でのコンパクト化も図られる点でも優れている。
【００１８】
（イ）すなわち、クリップ４は、成形された直前の態様から、図５（ａ）のごとく雄部材２がヒンジ部３を支点として雌部材側開口部１１に向けて回転操作されると、同（ｂ）のごとく雄部材２の先端側が開口部１１に所定量だけ挿入された段階で、凹部２６が開口部側凸部１４に係合される。同（ｂ）はそのようにして雄部材２を雌部材１に仮組み付けした仮組立状態である。この仮組立状態では、凹部２６と凸部１４の係合により雄部材２を雌部材１に対してこの挿入位置で保持している。この操作過程では、雄部材２の先端側が凸部１４と当たって該凸部１４を空洞部１０ａ側へ弾性変位しつつ、開口部１１に少しだけ挿入されたとき凹部２６が凸部１４と対向し凸部１４の復元力でクリック音を伴って係合する。
【００１９】
（ウ）図６は雄部材２が更に押し込め操作されて、パネル５，６同士を重合ないしはパネル５に対してパネル６を締結した脚部拡径状態である。すなわち、この構造では、雄部材２が仮組立状態から更に挿入操作（押圧操作）されると、凹部２６が凸部１４から係合解除された後、ヒンジ部３を支点とて更に開口部１１へ回転される。設計上は、雄部材２が雌部材１に対し雄部材側下端面２４を鍔部１０とほぼ同一面となるまで挿入されることで脚部拡径状態に切り換えられる。この操作過程では、雄部材２の先端側が両脚部１５の内面に沿って摺動された後、突起１７と突起１７の間に押入されると共に、両脚部１５が突起１７と突起１７の間隔を押し広げる拡径方向へ弾性変位される。この構造では、脚部拡径状態に達すると、雄部材側凹部２７が凸部１４に対向し該凸部１４の復元力でクリック音を伴って係合し、それにより脚部拡径状態が不用意に解除されないよう保持される。なお、符号５ａ，６ａはパネル５，６に設けられて雌部材１の脚部１５を挿入する取付孔である。
【００２０】
（エ）図７は脚部拡径状態から雄部材２が更に押し込め操作されて、雌部材側脚部１５を元の非拡径（元の形状）にした非拡径状態である。すなわち、この構造では、雄部材２が脚部拡径状態から更に挿入操作（押圧操作）されると、凹部２７が凸部１４から係合解除された後、ヒンジ部３を支点として更に開口部１１へ回転される。設計上は、雄部材２が雌部材１に対し雄部材側下端面２４を開口部１１内へ少し入るまで挿入されると、両側面２０の各窪み部２１が対応する突起１７と嵌合し、突起１７を窪み部２１内に逃がすことで脚部拡径用の負荷を開放して元の形状に復元可能にし、それによりパネル５，６同士の重合ないしはパネル５に対するパネル６の締結状態が解かれる。以上のクリップ構造では、雄部材２がヒンジ部３を支点として雌部材側開口部１１に回転により、仮組立状態、仮組立状態から脚部拡径状態、更に脚部拡径状態から非拡径状態にそれぞれ切り換えられるため、特許文献１のごとく雄部材を垂直方向に押し込める従来構造に比べコンパクト化が図られて、特にパネル下面側への突出量を抑えて用途的な制約を解消できる。また、このクリップ構造では、拡径用突起１７が入り込む窪み部２１を雄部材の両側面２０に形成可能なため、特許文献１のごとく凹部（本願の窪み部２１に対応する凹部）を軸回りに形成する構造に比べて剛性を損なうという虞がない。
【００２１】
なお、本発明のクリップは、請求項１で特定される構成を備えておればよく、細部は必要に応じて種々変更可能なものである。勿論、用途は形態に挙げたパネルの例に限られることなく任意である。
【図面の簡単な説明】
【００２２】
【図１】本発明形態のクリップを成形態様で示す概略斜視図である。
【図２】上記クリップを成形した直前の態様で示し、（ａ）は正面図、（ｂ）は右側面図である。
【図３】上記クリップの左側面図である。
【図４】（ａ）は上記クリップの平面図、（ｂ）は底面図である。
【図５】（ａ）は上記クリップを図４（ａ）のＡ−Ａ線断面図、（ｂ）は雄部材を回転操作して成形態様から仮組立状態に切り換えたときの断面図である。
【図６】（ａ）は上記雄部材を更に回転操作して仮組立状態から脚部拡径状態に切り換えたときの断面図、（ｂ）はその側面図である。
【図７】（ａ）は上記雄部材を更に回転操作して脚部拡径状態から非拡径状態に切り換えたときの断面図、（ｂ）はその側面図である。
【図８】（ａ）と（ｂ）特許文献１のクリップを示す説明図である。
【符号の説明】
【００２３】
１…雌部材（１１は開口部）
２…雄部材（２０は側面、２１は窪み部）
３…ヒンジ部
４…クリップ
１０…鍔部（１４は凸部）
１５…脚部（１６は先端部、１７は拡径用突起）
２６…仮組立状態保持用の凹部
２７…拡径状態保持用の凹部
【図１】
2009264487.tif 000003
【図２】
2009264487.tif 000004
【図３】
2009264487.tif 000005
【図４】
2009264487.tif 000006
【図５】
2009264487.tif 000007
【図６】
2009264487.tif 000008
【図７】
2009264487.tif 000009
【図８】
2009264487.tif 000010